(57)【要約】      （修正有）【課題】シーアンカーの水中での展張を安定的に行うことを可能とするとともに、展張後に不要となるケースを展張後に分離させて、構成として残さないようにすることが可能なシーアンカーの収納構造を提供する。【解決手段】シーアンカー１を収納する収納空間を有する半割のケース１０を備え、ケース１０を構成する２つのケース本体１１、１２のそれぞれの内面側に、シーアンカー１を載置する載置面１１ａ，１２ａを設け、各載置面１１ａ，１２ａは、互いに係合してケース本体１１、12同士を係止するための係合部を有し、水中に投下された際に作用する外力によりシーアンカー１が回転すると、その回転力が載置面１１ａ，１２ａに作用して係合部の係合が外れ、ケース１０が解体するものである。【選択図】図５
2009298211.tif 000002
【特許請求の範囲】
【請求項１】
シーアンカーを収納する収納空間を有する半割のケースを備え、該ケースを構成する２つのケース本体のそれぞれの内周面側に、前記シーアンカーを載置する載置面を設け、該各載置面は、互いに係合してケース本体同士を係止するための係合部を有し、海洋投下された際に作用する外力により前記シーアンカーが回転すると、その回転力が前記載置面に作用して前記係合部の係合が外れ、前記ケースが解体することを特徴とするシーアンカーの収納構造。
【請求項２】
前記載置面は、前記ケース本体の内周面において上下方向の位置が互いにずれた位置からから内方に延出し、且つ、ケース本体同士を組み付けたときに、左右方向の一部がオーバラップするように構成されており、前記係合部は、前記載置面のオーバラップ部分に設けられた分離防止突起と、該分離防止突起が係止される係止穴とから構成されていることを特徴とする請求項１記載のシーアンカーの収納構造。
【請求項３】
前記載置面に設けた通過孔を介してシーアンカーの下面と水中音響センサとが第１の分離策により連結される一方、前記シーアンカーの上面とブイとが第２の分離策により連結され、前記ケース内に前記シーアンカーと前記ブイとが収納された状態で海洋投下された際に、前記第１の分離策及び第２の分離策のそれぞれに引っ張る力が作用することで前記シーアンカーに回転力が作用し、前記係合が外れることを特徴とする請求項１又は請求項２記載のシーアンカーの収納構造。
【発明の詳細な説明】
【技術分野】
【０００１】
本発明は、航空機等から海洋に投下されて水中に位置される水中音響機器が、波による動作防止を行うためのシーアンカーの収納構造に関するものである。
【背景技術】
【０００２】
従来より、「ブイからケーブルを介して吊下される吊下体に引き出し索を介してシーアンカーを連結し、これらを筒状の沈降用容器内に収納し、海洋投下後、前記ブイを海面に浮遊させると共に、前記吊下体とシーアンカーを沈降用容器と共に海中に沈降させ、前記ケーブルの伸長後も前記沈降用容器を沈降させることで前記吊下体とシーアンカーを前記沈降用容器から引き出して、シーアンカーを展張させる場合のシーアンカー収納装置」において、２分割されたケース本体、及びこのケース本体の上面を塞ぐ蓋体から成るケースを備え、前記ケースのケース本体内に前記シーアンカーを折り畳んで収納しておき、海洋投下後、ケース本体を２分割し、シーアンカーを海中に沈降させて展張する技術がある（例えば、特許文献１参照）。また、電子機器（水中音響センサ）を筒状の収納容器に収納し、水中に投下された後、水中において展張される技術がある（例えば、特許文献２参照）。
【０００３】
【特許文献１】特開平９−５２５９５号公報（第１頁）
【特許文献２】特開２００２−１７４６７８号公報（第２頁、第３頁）
【発明の開示】
【発明が解決しようとする課題】
【０００４】
特許文献１の技術では、シーアンカーに接続される引き出し索が、ケースの外側に存在するため、動作中に予期しない部分に引っかかる等して所望の展張動作が行なわれないおそれがある。
【０００５】
また、特許文献２の技術では、水中で水中音響センサを繰り出す際に収納容器を下方に落下させるようにするが、落下時に収納容器がセンサケーブルに引っ掛かってしまい、完全に落下しないことがある。落下せずに収納容器がセンサの近傍に位置する場合、水流によって雑音を発生し、正確な測定を妨げる恐れがあるという問題があった。
【０００６】
本発明はこのような点に鑑みなされたもので、シーアンカーの水中での展張を安定的に行うことを可能とするとともに、展張後に不要となるケースを展張後に分離させて、構成として残さないようにすることが可能なシーアンカーの収納構造を提供することを目的とする。
【課題を解決するための手段】
【０００７】
本発明に係るシーアンカーの収納構造は、シーアンカーを収納する収納空間を有する半割のケースを備え、ケースを構成する２つのケース本体のそれぞれの内周面側に、シーアンカーを載置する載置面を設け、各載置面は、互いに係合してケース本体同士を係止するための係合部を有し、水中に投下された際に作用する外力によりシーアンカーが回転すると、その回転力が載置面に作用して係合部の係合が外れ、ケースが解体するものである。
【発明の効果】
【０００８】
本発明によれば、海洋投下された際にシーアンカーに作用する回転力によって係合部の係合が外れてケース本体が解体するため、シーアンカーの水中での展張を安定的に行うことが可能となるとともに、展張後に不要となるケースが展張後に構成として残さないようにすることが可能となる。
【発明を実施するための最良の形態】
【０００９】
図１は、本発明の一実施の形態のシーアンカーの収納構造を示す図で、ケース内にシーアンカーが収納された状態を示す模式図である。図２及び図３は、ケースを示す図であり、図２は、ケースが組み立てられた状態を示す図、図３は、ケースが解体された状態を示す図であり、図２及び図３のそれぞれの図において、（ａ）は縦断面図、（ｂ）は（ａ）を矢印Ａ方向から見た図である。
これらの図において、１は、布製のシーアンカー、１０は、シーアンカー１を収納するケースで、このケースは、左右に半割の一対のケース本体１１，１２から構成されている。
【００１０】
ケース１０は、シーアンカー１の収納空間を内部に有する筒状を成している。収納空間は、本例では断面形状が円形状であるが、長円形、多角形等に構成してもよい。また、ケース本体１１，１２のそれぞれの内周面側には、内周面から内方に垂直に延出し、シーアンカーを載置する載置面１１ａ，１２ａが形成されている。この載置面１１ａ，１２ａは、ケース本体１１，１２において、上下方向の位置が互いにずれた位置から延出されており、両者を組み付けたときに、左右方向の一部がオーバラップするように構成されている。図２の（ｂ）及び図３の（ｂ）に、オーバラップ部分をハッチングで示している。
【００１１】
そして、載置面１１ａ，１２ａに設けられた係合部２０によって、ケース本体１１，１２同士が固定されている。係合部２０は、オーバラップ部分の一方に設けられた分離防止突起２１ａと、他方に設けられた係止穴２２ａとから構成され、これらによりケース本体１１，１２同士が固定されるようになっている。また、ケース本体１２にはスリット２３が設けられている。このスリット２３は、載置面１２ａの自由端からオーバーラップ部分を超えて更に長く形成されており、組み立てられた際に、他方のケース本体１１の載置面１１ａに覆われず、後述の分離索を通すための通過孔２３ａを形成している。
【００１２】
以上のように構成されたケース１０内に、シーアンカー１が押し込まれた状態で収納される。これにより、ケース１０には図１の矢印に示すように外向きの力が作用し、ケース１０とシーアンカー１とが一体的に保持されている。また、シーアンカー１の上面と下面には、それぞれ分離索３１，３２が接続されており、上面側の接続位置と下面側の接続位置とを結んだ線が、ケース１０の中心軸に対して傾斜するようにシーアンカー１に接続されている。
【００１３】
図４は、収納状態を示す概略側断面図である。
図４において、４０は沈降用容器、５０は水中音響センサ、６０はブイである。図４に示すように、沈降用容器４０の最下部に水中音響センサ５０が収納され、その上に、シーアンカー１を収納したケース１０が収納されている。そして、シーアンカー１の上方にブイ６０が配置されている。そして、分離策３１によってシーアンカー１とブイ６０とが接続され、また、シーアンカー１の下面と水中音響センサ５０とが分離索３２により接続されている。
【００１４】
次に、図４に示した収納状態の沈降用容器４０を、航空機あるいは船舶から海洋に投下した際の動作について説明する。
図５は、沈降用容器４０を投下してからケース１０が分解されるまでの一連の動作説明図、図６及び図７は、図５の（ｃ）と（ｄ）との間の詳細動作説明図である。なお、図５〜図７においてブイの図示は省略している。
（ａ）沈降用容器４０が、航空機あるいは船舶から海洋に投下されると、ブイ６０は、その浮力により沈降用容器４０から離脱し、海面に浮上する。（ｂ）その一方で、沈降用容器４０及びケース１０は海中に沈降していく。そして、（ｃ）に示すように、分離索３２が、撓んだ状態から、ぴんと張った状態となる。その後、更に水中音響センサ５０は自重により沈んで行くため、分離策３２に引っ張る力が作用する。ここで、分離策３１，３２は、シーアンカー１の上面及び下面において略対角を成す位置で接続されているため、分離策３２に重力方向の引っ張り力が働くと、図６に示すようにシーアンカー１に図示矢印で示す回転力が作用する。これにより、分離防止突起２１ａが押し下げられて図７に示すように係止穴２２ａとの係合が外れ、（ｄ）ケース本体１１，１２同士の結合が分離して解体する。その結果、（ｅ）ケース本体１１，１２がそれぞれ自重により沈降していくとともに、沈降用容器４０が更に沈降していき、（ｆ）水中音響センサ５０の周囲にケース本体１１，１２及び沈降用容器４０が無い状態となる。
【００１５】
以上説明したように、本実施の形態によれば、シーアンカー１に作用する回転力によって係合部２０の係合が外れてケース本体１１，１２が解体し、ケース本体１１，１２が水中音響センサ５０の近傍から離れて沈降していくため、水中音響センサ５０の近くにケース１０が残存することによる不都合を防止することができる。
【００１６】
また、ケース本体１１，１２同士は、分離防止突起２１ａと係止穴２２ａとによる簡単な構造で係合されているため、海洋投下時に確実に解体が行われ、シーアンカー１の水中での展張を安定的に行うことが可能である。
【図面の簡単な説明】
【００１７】
【図１】本発明の一実施の形態のシーアンカーの収納構造を示す図である。
【図２】ケースが組み立てられた状態を示す図である。
【図３】ケースが解体された状態を示す図である。
【図４】収納状態を示す概略側断面図である。
【図５】沈降用容器４０を投下してからケース１０が分解されるまでの一連の動作説明図である。
【図６】図５の（ｃ）の動作時に作用する力の説明図である。
【図７】図５の（ｃ）と（ｄ）との間の詳細動作説明図である。
【符号の説明】
【００１８】
１  シーアンカー
１０  ケース
１１  ケース本体
１１ａ  載置面
１２  ケース本体
１２ａ  載置面
２０  係合部
２１ａ  分離防止突起
２２ａ  係止穴
２３  スリット
２３ａ  通過孔
３１  分離策
３２  分離策
４０  沈降用容器
５０  水中音響センサ
６０  ブイ
【図１】
2009298211.tif 000003
【図２】
2009298211.tif 000004
【図３】
2009298211.tif 000005
【図４】
2009298211.tif 000006
【図５】
2009298211.tif 000007
【図６】
2009298211.tif 000008
【図７】
2009298211.tif 000009